(57)【要約】【課題】記録紙ロールを用いたプリンタにおいて、記録紙ロール３の外周面を給紙ローラ５１に押しつけた状態で給紙ローラ５１を回転させ、記録紙２を副走査方向に搬送する際に、給紙ローラ５１の振動による騒音（ゴム鳴き）を低減又は防止する。【解決手段】給紙ローラ５１をフレーム４０とは別の給紙ローラホルダ５５に回転自在に保持すると共に、給紙ローラホルダ５５に共振防止用のおもり５６を微小振動可能に設ける。給紙ローラ５１の振動が給紙ローラホルダ５５を介しておもり５６に伝わると、おもり５６が給紙ローラ５１と異なる位相で振動し、位相が異なる振動が合成されることによって、給紙ローラ５１の振動の振幅が低減される。【選択図】図２
2005193526.tif 000002
【特許請求の範囲】
【請求項１】
記録紙ロールを用い、ディジタルカメラを直接接続したり、メモリカードを挿入することにより、ディジタル画像データを用いて画像形成が可能なプリンタであって、
長尺の記録紙を筒状のコアに巻き付けた記録紙ロールを回転可能に軸支すると共に、記録紙の先端を長手方向である副走査方向に送り出す給紙部と、
前記記録紙ロールから送り出された記録紙を前記副走査方向に往復搬送する記録紙搬送機構と、
前記副走査方向における前記記録紙ロールよりも下流側に設けられ、記録紙の幅方向である主走査方向に１ラインずつ、前記記録紙上に画像を形成する記録ヘッドと、
前記副走査方向における前記記録ヘッドよりも下流側に設けられ、前記記録紙のうち画像が形成された部分をその画像のサイズに応じて切断するカッタと、
前記ディジタルカメラ又は前記メモリカードからディジタル画像データを読み出す画像データ読み出し部と、
前記画像データ読み出し部により読み出された画像データを用いて、前記記録ヘッドを駆動制御する画像形成制御部と、
前記画像データ読み出し部により読み出された画像データを用いて、前記記録紙搬送機構を駆動制御する記録紙搬送制御部と、
前記画像データ読み出し部により読み出された画像データを用いて、前記カッタを駆動制御する記録紙切断制御部を備え、
前記画像形成制御部は、前記画像データが単色に関するものである場合は、その画像データを用いて前記記録ヘッドを駆動制御し、前記画像データが複数の色に関するものである場合は、各色の画像データを抽出し、抽出した１の色についての画像データを用いて前記記録ヘッドを駆動制御することを、全ての色について完了するまで繰り返し、
前記記録紙搬送制御部は、前記画像データが単色に関するものである場合は、その画像データに応じて前記記録紙搬送機構を駆動制御して、前記記録紙を副走査方向の下流側に一定の速度でその画像サイズに応じた所定長さだけ繰り出し、前記画像データが複数の色に関するものである場合は、抽出した１の色についての画像データ応じて前記ロール駆動機構及び前記記録紙搬送機構を駆動制御して、前記記録紙を副走査方向の下流側に一定の速度でその画像サイズに応じた所定長さだけ繰り出し、１の色の画像を形成し終えると、繰り出した所定長さだけ前記記録紙を副走査方向の上流側に巻き戻して、次の１の色の画像を形成することを全ての色について完了するまで繰り返し、
前記記録紙切断制御部は、記録紙上に画像が形成された後、前記カッタを駆動制御して、形成された画像サイズに応じて、記録紙のうち画像が形成された部分を切断するプリンタにおいて、
前記給紙部は、
前記記録紙ロールのコアの両端にそれぞれ嵌合される１組の軸ユニットと、
前記軸ユニットを水平に回転可能に軸支すると共に、前記軸ユニットを摺動可能に保持するガイド溝を有するフレームと、
水平方向を中心軸として回転自在に軸支され、駆動機構を介して駆動力が伝達されると共に、記録紙ロールの外周面に接触する部分の摩擦係数が大きく、かつ弾性を有し、前記記録紙ロールの外周面に当接しながら回転することにより前記記録紙を前記副走査方向に搬送する給紙ローラと、
前記フレームとは別に設けられ、前記給紙ローラを回転自在に軸支する給紙ローラホルダと、
前記給紙ローラホルダに微小振動可能に設けられた共振防止用のおもりを備え、
前記給紙ローラが前記記録紙ロールの外周面に当接させながら回転させる際の摩擦による前記給紙ローラの振動を前記おもりの振動によって相殺することを特徴とするプリンタ。
【請求項２】
記録紙ロールを用いたプリンタにおいて、
長尺の記録紙を筒状のコアに巻き付けた記録紙ロールを回転可能に軸支すると共に、記録紙の先端を長手方向である副走査方向に送り出す給紙部と、
前記記録紙ロールから送り出された記録紙を前記副走査方向に往復搬送する記録紙搬送機構と、
前記副走査方向における前記記録紙ロールよりも下流側に設けられ、前記記録紙上に画像を形成する記録ヘッドと、
前記副走査方向における前記記録ヘッドよりも下流側に設けられ、前記記録紙のうち画像が形成された部分をその画像のサイズに応じて切断するカッタを備え、
前記給紙部は、前記記録紙ロールの外周面に当接しながら回転することによって前記記録紙を前記副走査方向に搬送する給紙ローラと、
前記給紙ローラを回転自在に軸支する給紙ローラホルダと、
前記給紙ローラホルダに設けられた共振防止用のおもりを備えたことを特徴とするプリンタ。
【請求項３】
前記おもりは、前記給紙ローラホルダに固定されていないことを特徴とする請求項２に記載のプリンタ。
【発明の詳細な説明】
【技術分野】
【０００１】
本発明は、長尺の記録紙をコアに巻き付けた記録紙ロールを用いるプリンタ、特にディジタルカメラを接続したりメモリカードを挿入したりして、パーソナルコンピュータを介することなく直接画像のプリントが可能なプリンタにおいて、記録紙ロールを給紙部に装填する際の給紙ローラの騒音低減に関する。
【背景技術】
【０００２】
近年、ディジタルカメラの普及により、パーソナルコンピュータを介することなく、直接ディジタルカメラを接続したりメモリカードを挿入したりして、画像のプリントが可能なプリンタが実用化されている。なお、従来のパーソナルコンピュータに接続されるプリンタと区別するために、このようなプリンタを「ディジタルカメラ対応プリンタ」と称する。
【０００３】
ディジタルカメラ対応プリンタでは、従来のフィルム及び印画紙を用いた銀塩写真と同様のプリントを得るために、厚手で、かつ光沢のある専用の記録紙を用いている。また、プリントされる画像のサイズも銀塩写真システムに準じているため、通常の撮像素子のアスペクト比に対応したもののほか、パノラマサイズなど特に横長のプリントに対応させる必要がある。そのため、ディジタルカメラ対応プリンタでは、一般的に、筒状のコアに長尺の記録紙を巻き付けた記録紙ロールを使用し、プリントされる画像の縦及び横の一方の寸法を記録紙の幅に固定し、他方の寸法に合わせて記録紙の切断長さを変えることにより、様々なサイズの画像に対応している。
【０００４】
このような記録紙ロールを用いたプリンタでは、記録紙の消費に伴って記録紙ロールの外径が徐々に小さくなることから、記録紙ロールの外周面に給紙ローラを接触させ、給紙ローラを駆動することにより、記録紙ロールから記録紙を送り出すように構成されている。仮に給紙ローラが空転すると、記録紙の送り出し量が少なくなり、できあがったプリントのサイズが小さくなると共に、記録紙の送り出し方向に画像が圧縮されて画質が劣化する。そのため、給紙ローラが記録紙ロールの外周面で空転しないようにするため、給紙ローラを摩擦係数の大きいゴムなどの材料で形成すると共に、記録紙を搬送する際には、ばねなどを用いて非常に強い力で給紙ローラを記録紙ロールの外周面に押しつけている。
【０００５】
このような給紙ロールを用いたプリンタの給紙部では、モータなどにより駆動される給紙ローラの回転軸はフレームに対して変位せず、記録紙ロールのコアの両端にそれぞれ嵌合された軸ユニットが、フレームに形成されたガイド溝に沿って変位するように構成されている。そして、記録紙ロールのコアに嵌合された軸ユニットを給紙ローラの回転軸側に押しつけるように、ばねにより付勢された付勢レバーが軸ユニットに当接されている。
【０００６】
記録紙ロールを給紙部に装填するためには、まず、ガイド溝の給紙ローラとは反対側の開放された後端から、記録紙ロールのコアの両端に嵌合された軸ユニットをそれぞれガイド溝に嵌合させ、ガイド溝に沿って移動させる。その際、軸ユニットが付勢レバーに接触するので、さらに力を加えると、付勢レバーが付勢方向と逆向きに回転し、軸ユニットが付勢レバーを乗り越える。その後は、付勢レバーが軸ユニットをガイド溝の前端側に付勢するので、ユーザが手を離しても、軸ユニットはそのままガイド溝に沿って移動し、記録紙ロールの外周面が給紙ローラに当接することにより、軸ユニットの移動が停止する。さらに、その状態で、記録紙ロールを回転させて、記録紙の先端を所定の位置に位置決めする。
【０００７】
ところで、給紙ローラには駆動力伝達機構などが係合され、さらに駆動力伝達機構にはモータの駆動軸が係合されている。記録紙ロールの外周面を給紙ローラに当接させた状態で回転させる際、記録紙と給紙ローラとの間に作用する摩擦力よりも駆動力伝達機構やモータなどを駆動させるためのトルクの方が大きいため、給紙ローラは回転せず、給紙ローラ上を記録紙が滑りながら移動する。給紙ローラの表面近傍はゴムなどの弾性体で形成されているため、上記ばねによる付勢力によって変形されていると共に、記録紙の滑りによっても変形される。そして、給紙ローラの弾性変形が大きくなると、弾性力により復元しようとする。そのため、給紙ローラの表面が変形と復元を繰り返すことにより微小振動を起こし、この振動が給紙部の各部に伝搬し、共振を起こして、「クックッ」といったゴム鳴きと呼ばれる騒音を引き起こす。このような給紙ローラの騒音は、特にプリンタのカバーを開いて記録紙ロールを装填する際に、ユーザの耳に直接聞こえるため、製品としての品位の低下につながる。また、ユーザからのクレームの対象にもなりやすい。
【０００８】
そこで、プリンタの給紙部のカバーの開閉に連動して、記録紙ロールを給紙ローラに押しつけるためのばねの付勢力をオン／オフする機構を設けることが考えられる。具体的には、付勢レバーを、カバーの開閉に関係なく弱い付勢力で記録紙ロールのコアの両端に嵌合された軸ユニットを給紙ローラ側に付勢する第１付勢レバーと、カバーの開動作に連動して付勢方向と逆向きに回転され、待避位置にロックされると共に、カバーの閉動作に連動してロックが解除され、付勢方向に回転して強い付勢力で第１付勢レバーを給紙ローラ側に付勢する第２付勢レバーの２段構造とする。このようにすれば、ユーザが記録紙ロールを装填する際には、給紙ローラと記録紙ロールの外周面に作用する摩擦力が小さくなり、給紙ローラの振動による騒音を低減することができる。しかしながら、給紙部の構成が複雑になり、部品点数が増加して、コストアップの要因となる。さらに、給紙部が大型化するという問題も生じる。
【０００９】
一方、特許文献１では、あらかじめカットされた記録紙を給紙トレイから１枚ずつ取り出して搬送する給紙機構において、給紙ローラの外周面に記録紙を押しつけるための摩擦パッドを保持するホルダを板ばねで付勢し、板ばねの防振作用により摩擦パッドの振動を低減させている。このような構成は、記録紙があらかじめカットされており、給紙機構による記録紙の搬送精度が多少ラフであってもよいようなプリンタには有効である。しかしながら、上記のように記録紙ロールを用い、給紙ローラが記録紙ロールの外周面上を滑ることなく正確に記録紙を搬送させることが要求されるプリンタにおいては、記録紙ロールを給紙ローラに押しつけるためのばねの付勢力が非常に強いので、振動を低減させるために板ばねを併設してもほとんど効果がない。
【００１０】
また、特許文献２では、プラテン及び遮音カバーを有するプリンタにおいて、プラテンに同期して回転する吸音ローラ及び吸音ローラの両側に設けられた紙押さえローラを設け、吸音ローラ及び紙押さえローラで遮音カバーの開口部を封止している。このような構成によれば、プリンタの内部から外部に漏れる騒音は低減されるものの、プリンタの構成が複雑になり、かつプリンタ自体が大型化するという問題を有している。
【特許文献１】特開平７−１３３０３３号公報
【特許文献２】特開昭６０−４６２８２号公報
【発明の開示】
【発明が解決しようとする課題】
【００１１】
本発明は、上記の問題を解決するためになされたものであり、記録紙ロールを用いるプリンタにおいて、給紙部の構造を複雑にすることなく、また給紙部を大型化することなく、給紙ローラの振動による騒音を低減したプリンタを提供することを目的とする。
【課題を解決するための手段】
【００１２】
上記目的を達成するために請求項１の発明は、記録紙ロールを用い、ディジタルカメラを直接接続したり、メモリカードを挿入することにより、ディジタル画像データを用いて画像形成が可能なプリンタであって、
長尺の記録紙を筒状のコアに巻き付けた記録紙ロールを回転可能に軸支すると共に、記録紙の先端を長手方向である副走査方向に送り出す給紙部と、
前記記録紙ロールから送り出された記録紙を前記副走査方向に往復搬送する記録紙搬送機構と、
前記副走査方向における前記記録紙ロールよりも下流側に設けられ、記録紙の幅方向である主走査方向に１ラインずつ、前記記録紙上に画像を形成する記録ヘッドと、
前記副走査方向における前記記録ヘッドよりも下流側に設けられ、前記記録紙のうち画像が形成された部分をその画像のサイズに応じて切断するカッタと、
前記ディジタルカメラ又は前記メモリカードからディジタル画像データを読み出す画像データ読み出し部と、
前記画像データ読み出し部により読み出された画像データを用いて、前記記録ヘッドを駆動制御する画像形成制御部と、
前記画像データ読み出し部により読み出された画像データを用いて、前記記録紙搬送機構を駆動制御する記録紙搬送制御部と、
前記画像データ読み出し部により読み出された画像データを用いて、前記カッタを駆動制御する記録紙切断制御部を備え、
前記画像形成制御部は、前記画像データが単色に関するものである場合は、その画像データを用いて前記記録ヘッドを駆動制御し、前記画像データが複数の色に関するものである場合は、各色の画像データを抽出し、抽出した１の色についての画像データを用いて前記記録ヘッドを駆動制御することを、全ての色について完了するまで繰り返し、
前記記録紙搬送制御部は、前記画像データが単色に関するものである場合は、その画像データに応じて前記記録紙搬送機構を駆動制御して、前記記録紙を副走査方向の下流側に一定の速度でその画像サイズに応じた所定長さだけ繰り出し、前記画像データが複数の色に関するものである場合は、抽出した１の色についての画像データ応じて前記ロール駆動機構及び前記記録紙搬送機構を駆動制御して、前記記録紙を副走査方向の下流側に一定の速度でその画像サイズに応じた所定長さだけ繰り出し、１の色の画像を形成し終えると、繰り出した所定長さだけ前記記録紙を副走査方向の上流側に巻き戻して、次の１の色の画像を形成することを全ての色について完了するまで繰り返し、
前記記録紙切断制御部は、記録紙上に画像が形成された後、前記カッタを駆動制御して、形成された画像サイズに応じて、記録紙のうち画像が形成された部分を切断するプリンタにおいて、
前記給紙部は、
前記記録紙ロールのコアの両端にそれぞれ嵌合される１組の軸ユニットと、
前記軸ユニットを水平に回転可能に軸支すると共に、前記軸ユニットを摺動可能に保持するガイド溝を有するフレームと、
水平方向を中心軸として回転自在に軸支され、駆動機構を介して駆動力が伝達されると共に、記録紙ロールの外周面に接触する部分の摩擦係数が大きく、かつ弾性を有し、前記記録紙ロールの外周面に当接しながら回転することにより前記記録紙を前記副走査方向に搬送する給紙ローラと、
前記フレームとは別に設けられ、前記給紙ローラを回転自在に軸支する給紙ローラホルダと、
前記給紙ローラホルダに微小振動可能に設けられた共振防止用のおもりを備え、
前記給紙ローラが前記記録紙ロールの外周面に当接させながら回転させる際の摩擦による前記給紙ローラの振動を前記おもりの振動によって相殺することを特徴とする。
【００１３】
請求項２の発明は、記録紙ロールを用いたプリンタにおいて、
長尺の記録紙を筒状のコアに巻き付けた記録紙ロールを回転可能に軸支すると共に、記録紙の先端を長手方向である副走査方向に送り出す給紙部と、
前記記録紙ロールから送り出された記録紙を前記副走査方向に往復搬送する記録紙搬送機構と、
前記副走査方向における前記記録紙ロールよりも下流側に設けられ、前記記録紙上に画像を形成する記録ヘッドと、
前記副走査方向における前記記録ヘッドよりも下流側に設けられ、前記記録紙のうち画像が形成された部分をその画像のサイズに応じて切断するカッタを備え、
前記給紙部は、前記記録紙ロールの外周面に当接しながら回転することによって前記記録紙を前記副走査方向に搬送する給紙ローラと、
前記給紙ローラを回転自在に軸支する給紙ローラホルダと、
前記給紙ローラホルダに設けられた共振防止用のおもりを備えたことを特徴とする。
【００１４】
請求項３の発明は、請求項２のプリンタにおいて、前記おもりは、前記給紙ローラホルダに固定されていないことを特徴とする。
【発明の効果】
【００１５】
請求項１の発明によれば、記録紙ロールを用い、ディジタルカメラを直接接続したり、メモリカードを挿入することにより、ディジタル画像データを用いて画像形成が可能なプリンタにおいて、共振防止用のおもりが給紙ローラホルダに微小振動可能に設けられているので、給紙ローラが記録紙ロールの外周面に当接しながら回転することによって振動したとしても、おもりが給紙ローラの振動とは異なる位相で振動することにより、給紙ローラの振動を相殺することができる。そのため、プリンタのカバーを開けて記録紙ロールを装填する作業を行っても、給紙ローラの騒音が非常に小さくなり、製品としての品位を低下させることもない。また、おもりを給紙ローラホルダに設けるという比較的簡単な構成により、給紙部の構造を複雑にすることなく、また給紙部を大型化することなく、給紙ローラの振動による騒音を低減又は防止するこができる。その結果、給紙ローラの振動による騒音（ゴム鳴き）を低減又は防止することができる。
【００１６】
請求項２の発明によれば、給紙ローラを用いたプリンタ全般において、共振防止用のおもりが給紙ローラホルダに微小振動可能に設けられているので、給紙ローラが記録紙ロールの外周面に当接しながら回転することによって振動したとしても、おもりが給紙ローラの振動とは異なる位相で振動することにより、給紙ローラの振動を相殺することができる。また、おもりを給紙ローラホルダに設けるという比較的簡単な構成により、給紙部の構造を複雑にすることなく、また給紙部を大型化することなく、給紙ローラの振動による騒音を低減又は防止するこができる。その結果、給紙ローラの振動による騒音（ゴム鳴き）を低減又は防止することができる。
【００１７】
請求項３の発明によれば、おもりが給紙ローラホルダに固定されていないので、おもり自体が給紙ローラとは異なる位相で振動することが可能である。そのため、位相の異なる振動を重ね合わせることにより、給紙ローラの振動の振幅を減衰させることができる。
【発明を実施するための最良の形態】
【００１８】
本発明を実施するための最良の形態について図面を参照して説明する。図１は、本発明の一実施の形態に係る記録紙ロールを用いたプリンタの概略構成を示す図である。図１に示すように、プリンタ１は、長尺の記録紙２をコアに巻き付けた記録紙ロール３を収納するための給紙部４と、給紙ロール３から記録紙２の先端を引き出し、記録紙２の長手方向である副走査方向に搬送する記録紙搬送機構５と、副走査方向における記録紙ロール３よりも下流側に設けられ、記録紙２上に画像を形成するための記録ヘッド６と、記録紙２のうち画像が形成された部分などを切断するためのカッタ７と、カッタ７により切断された記録紙片、すなわち画像が形成されたプリントを保持するためのトレイ８などで構成されている。
【００１９】
さらに、プリンタ１は、ディジタルカメラ９が直接接続され、あるいはメモリカード１０が挿入されることにより、これらからディジタル画像データを読み込むための画像データ読み出し部１１と、画像データ読み出し部１１により読み出された画像データを用いて、記録ヘッド６を駆動制御する画像形成制御部１２と、画像データ読み出し部１１により読み出された画像データを用いて、記録紙搬送機構５を駆動制御する記録紙搬送制御部１３と、画像データ読み出し部１１により読み出された画像データを用いて、カッタ７を駆動制御する記録紙切断制御部１４を備えている。
【００２０】
記録紙ロール３のコアの両端には、１組の軸ユニット２０がそれぞれ嵌合されており、フレーム４０に対して回転可能に軸支されている。記録紙ロール３は、記録紙２が消費されるにつれてその直径が徐々に小さくなる。そのため、記録紙ロール３の回転を軸支する軸ユニット２０は、それ自体は駆動されず、記録紙２が記録紙搬送機構５により搬送されるのに伴って従動回転するように構成されている。
【００２１】
記録紙搬送機構５は、記録紙ロール３の外周部に圧接し、それ自体が所定方向に回転駆動されることによって、記録紙２を副走査方向に押し出したり、引き戻したりするための給紙ローラ５１と、記録紙ロール３から引き出された記録紙２の先端部近傍を一定速度で副走査方向に往復搬送する駆動ローラ５２と、給紙ローラ５１及び駆動ローラ５２などに回転力を与えるためのモータ５３と、歯車列やタイミングベルトなどの駆動力伝達機構５４などで構成されている。なお、上記軸ユニット２０は、記録紙ロール３の外周面を給紙ローラ５１に押しつける方向に、ねじりばね４１及び押圧レバー４２などにより付勢されている。
【００２２】
本実施の形態では、記録ヘッド６として、記録紙２の幅方向である主走査方向に１ライン分の画像を同時に形成する感熱ヘッドを用いており、記録紙２として感熱式のものを用いている。画像データ読み出し部１１により読み出された画像データが単色に関するものである場合、画像形成制御部１２は、その画像データを用いて記録ヘッド６を駆動制御し、記録紙２上に単色の画像を形成する。これと並行して、記録紙搬送制御部１３は、その画像データに応じて記録紙搬送機構５を駆動制御して、記録紙２を副走査方向の下流側に一定の速度でその画像サイズに応じた所定長さだけ繰り出す。記録紙２上に画像が形成された後、記録紙切断制御部１４は、記録紙２上に形成された画像サイズに応じて、カッタ７を駆動制御して、記録紙２のうち画像が形成された部分を切断する。切断された記録紙片、すなわちプリントはトレイ８上に排出される。
【００２３】
一方、画像データ読み出し部１１により読み出された画像データがカラー、すなわち複数の色に関するものである場合、画像形成制御部１２は、画像データ読み出し部１１により読み出された画像データから各色（例えば、イエロー、マゼンタ及びシアンの３色とする）ごとの画像データを抽出し、抽出したいずれか１の色（例えば、イエロー）についての画像データを用いて記録ヘッド６を駆動制御し、記録紙２上にイエローの画像を形成する。これと並行して、記録紙搬送制御部１３は、イエローの画像データに応じて記録紙搬送機構５を駆動制御して、記録紙２を副走査方向の下流側に一定の速度でその画像サイズに応じた所定長さだけ繰り出す。記録紙２上にイエローの画像が形成されると、記録紙搬送制御部１３は、記録紙搬送機構５を駆動制御して、繰り出した分だけ記録紙２を副走査方向の上流側に巻き戻す。そして、画像形成制御部１２及び記録紙搬送制御部１３は、残りの全ての色（マゼンタ及びシアン）について上記と同様の工程を繰り返す。記録紙２上に最後の色（例えば、シアン）の画像が形成されると、記録紙搬送制御部１３は、記録紙２を副走査方向の上流側に巻き戻さずに、記録紙搬送機構５を駆動制御して、記録紙２をさらに副走査方向の下流側に搬送する。記録紙２上に全ての色の画像が重ねて形成された後、記録紙切断制御部１４は、記録紙２上に形成された画像サイズに応じて、カッタ７を駆動制御して、記録紙２のうち画像が形成された部分を切断する。
【００２４】
次に、給紙部４の詳細な構成を図２に示す。給紙部４は、上記軸ユニット２０、記録紙搬送機構５を構成する給紙ローラ５１、フレーム４０、ねじりばね４１及び押圧レバー４２を含む。フレーム４０は、軸ユニット２０を水平に回転可能に軸支すると共に、軸ユニット２０を摺動可能に保持するガイド溝４３を有する。ガイド溝４３の一端は、軸ユニット２０の着脱可能とするために、開放されている。給紙ローラ５１は、フレーム４０とは別に設けられた給紙ローラホルダ５５により、水平方向を中心軸として回転自在に軸支されている。給紙ローラホルダ５５は、フレーム４０に対して片持ち梁状に固定されており、給紙ローラホルダ５５の自由側端部近傍には、共振防止用のおもり５６が微小振動可能に設けられている。おもり５６は、給紙ローラホルダ５５に固定されてはおらず、例えば給紙ローラホルダ５５の内部に形成された空間内（後述するスロット５５ｃ）に微動できる程度の隙間を設けて挿入され、保持されている。
【００２５】
図３に示すように、給紙ローラ５１は、給紙ローラホルダ５５に回転自在に軸支された金属製の主軸５１ａと、主軸５１ａの周りに設けられ、例えばゴムなどの摩擦係数が大きく、かつ弾性を有する材料で形成され、記録紙ロール３の外周部に接触する接触部５１ｂと、主軸５１ａの一端に形成され、駆動力伝達機構５４を介して駆動力が伝達される歯車又はタイミングプーリ５１ｃなどで構成されている。給紙ローラホルダ５５は、例えば樹脂成形により形成され、給紙ローラ５１を回転自在に軸支する軸受け部５５ａと、軸受け部５５ａに対して副走査方向の下流側に位置し、搬送される記録紙２をガイドする搬送ガイド部５５ｂと、軸受け部５５ａに対して搬送ガイド部５５ｂとは反対側に設けられ、おもり５６が挿入され保持されるスロット５５ｃなどを有している。スロット５５ｃの開口部には、複数の突起５５ｄが形成されている。おもり５６として、例えば所定の厚さの鉄板などを所定の幅及び長さに切断したものを用い、突起５５ｄの弾性変形を利用してスロット５５ｃに挿入し、保持する。
【００２６】
このように、片持ち梁状の給紙ローラホルダ５５の自由端の近傍におもり５６を設けるという簡単な構成により、給紙ローラ５１が記録紙ロール３の外周面に当接させながら回転させる際の摩擦による給紙ローラ５１の振動を、おもり５６の振動によって相殺することができ、給紙ローラ５１の振動による騒音（ゴム鳴き）を低減又は防止することができる。
【００２７】
次に、上記おもり５６を給紙ローラホルダ５５に設けることにより、給紙ローラ５１の振動による騒音が低減又は防止される理由について考察する。その１つとして、おもり５６が給紙ローラホルダ５５に固定されていない点が考えられる。給紙ローラ５１が振動すると、その振動が給紙ローラホルダ５５に伝達され、さらにおもり５６にも伝達される。ところが、おもり５６は、給紙ローラホルダ５５に固定されておらず、振動を受けることによって一定の範囲で動きうる。そのため、振動しているうちに、おもり５６の振動の位相が給紙ローラホルダ５５の振動の位相から徐々にずれる。位相の異なる振動が合成されると、振動の振幅が減衰されるので、給紙ローラ５１の振動による騒音を低減されると考えられる。また、位相が１／２周期ずれると、振幅は零になるので給紙ローラ５１の振動による騒音は発生しなくなる。ちなみに、おもり５６を両面テープで給紙ローラホルダ５５に固定したところ、給紙ローラ５１の振動による騒音はあまり低減されなかった。
【００２８】
また、おもり５６が給紙ローラ５１の回転軸に近い位置に設けられていることが考えられる。図２に示すように、おもり５６は給紙ローラ５１の回転軸に近い位置に設けられているので、給紙ローラ５１の振動が給紙部４の各部に伝達される前に、おもり５６による位相の異なる振動によって減衰されると考えられる。さらに、主走査方向におけるおもり５６の長さを様々に変化させてみたところ、おもり５６を給紙ローラホルダ５５の主走査方向の全幅にわたって設けた場合が最も給紙ローラ５１の振動による騒音低減効果が高いことがわかった。
【００２９】
このように、本実施の形態のプリンタによれば、共振防止用のおもり５６が給紙ローラホルダ５５に微小振動可能に設けられているので、給紙ローラ５１が記録紙ロール３の外周面に当接しながら回転することによって振動したとしても、おもり５６が給紙ローラ５１の振動とは異なる位相で振動することにより、給紙ローラ３の振動を相殺することができる。そのため、プリンタのカバーを開けて記録紙ロールを装填する作業を行っても、給紙ローラ５１の騒音が非常に小さくなり、製品としての品位を低下させることもない。また、おもり５６を給紙ローラホルダ５５に設けるという比較的簡単な構成により、給紙部４の構造を複雑にすることなく、また給紙部４を大型化することなく、給紙ローラ５１の振動による騒音を低減又は防止するこができる。
【００３０】
なお、本発明は上記実施の形態に限定されるものではなく、記録紙ロールを用いたプリンタ全般に適用可能である。また、フレームと別に設けられた給紙ローラホルダに共振防止用のおもりが設けられていればよく、おもりの位置、重さ、形状、材質などは特に限定されず、記録紙の幅、記録紙ロールの直径、給紙ローラの材質などに応じて実験により最適な値を選択すればよい。
【図面の簡単な説明】
【００３１】
【図１】本発明の一実施の形態に係る記録紙ロールを用いたプリンタの概略構成を示す図。
【図２】上記プリンタの給紙部の詳細な構成を示す図。
【図３】給紙ローラホルダ及びそれに保持された給紙ローラの形状を示す図。
【符号の説明】
【００３２】
１  プリンタ
２  記録紙
３  記録紙ロール
４  給紙部
５  記録紙搬送機構
６  記録ヘッド
７  カッタ
９  ディジタルカメラ
１０  メモリカード
１１  画像データ読み出し部
１２  画像形成制御部
１３  記録紙搬送制御部
１４  記録紙切断制御部
４０  フレーム
４１  ねじりばね
４２  押圧レバー
４３  ガイド溝
５１  給紙ローラ
５５  給紙ローラホルダ
５６  おもり
【図１】
2005193526.tif 000003
【図２】
2005193526.tif 000004
【図３】
2005193526.tif 000005